(57)【特許請求の範囲】
【請求項１】
シート状材料の一端から他端に向けて、側板（２）と天胴板（３）と側板（４）と地胴板（５）と側板（６）の五面を順次連接し、何れの側板にも両端を膨らました突部（２1 ，２2 ，４1 ，４2 ，６1 ，６2 ）を備え、該両突部先端より内側に向け、前記突部の幅より幅狭の胴部（２3 ，４3 ，６3 ）を形成し窪みとし、両端側板は非連接部の窪み（２4 ，６4 ）のみとし、中側板を含めた連接部分では前記各両突部の外周に沿う部分を切り離し、窪みの底に相当する幅狭の胴部の縁に天地胴板（３，５）を連接する構成とし、各連接部に押し罫と半切り罫と切り罫を単独か組合せた何れか線を付与して折り曲げ易くし、折り曲げた両端の側板（２，６）を重ね合せ側板と天地胴板とで収納部（１１）を形成した際、該収納部の隅を側板両端の突部の各外辺で支える構造とし、前記突部と前記天地胴板とで空間（１２，１３）を確保した構造を特徴とする緩衝機能付中枠。
【請求項２】
側板（２，４，６）上の突部（２1 ，２2 ，４1 ，４2 ，６1 ，６2 ）の両端に近い位置に、突起（１５）を形成することにより、収納部（７）の左右側板の方向に空間（１６）を確保した構造を特徴とする請求項１に記載の緩衝機能付中枠。
【請求項３】
天地胴板（３，５）の中央部分に、胴板と長辺の一つが連接し他の三辺を切り離した方形状のフラップ（７，８）を設け、前記天地胴板上では夫々の前記フラップを逆配置として、前記フラップを起こし重ね合わすことにより、収納部（１１）の中に仕切りを形成したことを特徴とする請求項１か２に記載の緩衝機能付中枠。
【請求項４】
収納部（１１）が、少なくとも側板（２，６）の非連接部側の突部の内辺（２11， ２21，６12， ６22）上の何れかに円弧状の突出部（２111，２211，６121，６221 ）を形成し、側板（２，６）を重ねて天地胴板（３，５）を係合して、前記収納部を接着手段なしに組立て、戻り開きのない構造としたことを特徴とする請求項１から３の何れかに記載の緩衝機能付中枠。
【請求項５】
天地胴板（３，５）上のフラップ（７，８）に舌状部（９，１０）を形成することにより、該フラップを収納部（１１）内に折り曲げて仕切りを形成した際に、その舌状部が緩衝材として働くことを特徴とする請求項１から４の何れかに記載の緩衝機能付中枠。
【発明の詳細な説明】
【０００１】
【発明の属する技術分野】
本発明は、医療用薬品収納箱の取り扱い時の衝撃が原因で、該箱に収納した破損し易い容器または中身の砕け易い薬品を、破損等の損傷から保護するために箱に挿入する緩衝機能付中枠に関する。
【０００２】
【従来の技術】
アンプルやバイアル等の容器では、該容器に収納した中身の液状薬品や固形薬品に対し、同容器をフタと身を夫々独立した厚手のプラスチック材料による成形品を使用し、中身が固形薬品の時には容器内の所要箇所にスポンジ等の緩衝材を挿入し、複数の容器を格納する場合では箱と一体形の仕切り板を設けて、容器や中身の薬品の損傷防止の対策とし、注射筒等についても同様の処置を講ずる。
【０００３】
【発明が解決しようとする課題】
緩衝機能を持つプラスチック成形容器やスポンジ等は、用済み後に廃棄物として処理する場合に、比較的小物のために再生処理に要する回収コストが掛かり過ぎ、自然劣化による自壊作用も見込めないことにから燃焼による処理手段を使用するが、燃焼ガスの発生や燃え滓の始末に絡む公害と炉の耐久性等の問題を避けて通れない。
【０００４】
容器の収納箱の自動組立ラインを構成する際に、箱と一体化した仕切りや緩衝材の存在は組立機能を複雑化し、緩衝効果の少ない割りに手間を要しラインの延長等設備費の高騰と故障増も予測され、作業監視に多くの器材と人の配置を必要としコスト増の要因となる。
【０００５】
【課題を解決するための手段】
本発明は既述の問題点を解決し、容器または該容器内の薬品に必要な損傷防止機能を備え、用済み後に再生可能か廃棄物処理をしても公害問題を提起しない材料で構成し、収納箱に挿入して使用する緩衝機能付中枠の提供を目的とする。
【０００６】
本発明は、シート状材料の一端から他端に向けて、側板と天胴板と側板と地胴板と側板の五面を順次連接し、何れの側板にも両端を膨らました突部を備え、該両突部の端より内側に向け、前記突部の幅より幅狭の胴部を形成して窪みとし、両端側板は非連接部の窪みのみとし、中側板を含めた連接部分では前記各両突部の外周に沿う部分を切り離し、窪みの底に相当する幅狭の胴部の縁に天地胴板を連接する構成とし、各連接部に押し罫と半切り罫と切り罫を単独か組合せた何れか線を付与して折り曲げ易くし、折り曲げて両端の側板を重ね合せ側板と天地胴板とで収納部を形成した際、該収納部の隅を側板両端の突部の各外辺で支える構造とし、前記突部と前記天地胴板とで空間を確保した構造を特徴とする箱用緩衝機能付中枠である。
【０００７】
【発明の実施の形態】
本発明は、医療用薬品収納箱に挿入する前に、予め組み立てた仕切りを内蔵する収納部に突部を備えた上蓋を形成し、挿入後に同突部により箱内壁と前記収納部の間に緩衝機能を保持した複数の空間を形成した構造で紙製の中枠である。
【０００８】
中枠は三面の側板の間に二面の天地胴板を挿入して一方向に連接し、二面の天地胴板は側板の胴部を挟む様に距離を置いて対向し収納部を形成する。この側板の胴部の前後に胴幅よりも広幅の突部を形成し、同突部の先端を天地胴板よりも出張らすことにより、前記収納部は側板で形成する二面を除き、他の四面を突部により箱の内壁から隔離するので、箱の取り扱いの際に生ずる衝撃等は突部の緩衝機能で吸収するので、収納した容器や薬品に伝わる衝撃を緩和する。
【０００９】
三面の側板と二面の天地胴板より収納部を形成すると、必ず両端二面の側板は重なるが何れの側板も外側には連接部分を持たないので、この連接部分を持たない突部の内辺に、連接側の天地何れか胴板の端よりも内側に突出した部分を設けておくと、組合せ立方体とした時に突出部分が天地胴板と側板の戻り外れを防止するストッパーとして役立ち、しかも側板の重なり部分に接着剤の必要がなくなる。
【００１０】
二面の天地胴板の略中央に、長辺が胴板に連接し他の三辺が切り離された状態の方形状のフラップを設け、対応する胴板には方形状のフラップを逆配置とし、両者を収納部の内面に押し出して窓を開けると中枠内に仕切りを形成することができる。この場合、長辺の連接の一部を切り離し舌状部分を設けておくと、胴板の中央部分も箱の内壁から隔離し同時に箱の変形防止にも役に立つ。
【００１１】
また自動組立機での折り曲げを容易にするために、中枠を厚手の板紙か段ボールのような板状材料上に展開して罫書き加工を施す際、切り離し部分を除いた折り曲げの大部分に半切り罫を使用し、両端の側板の突部内側辺のストッパーと交差する天地胴板の連接部分の一部に押し罫を採用し、中枠自体の動きによる連接部の切断を防止する。
【００１２】
【作用】
本発明になる緩衝機能付中枠は、側板と天地胴板とにより形成した収納部に、薬品入りの容器を格納後に天地胴板を側板の突部で収納箱の内壁から隔離するので衝撃等を緩衝する機能を持ち、前記突部に設けたストッパー機能が接着剤の必要のない中枠の組立を可能とし、用済み後の後処理負担を軽くした。
【００１３】
【実施例】
図１は中枠１の展開図で、左より右にかけて側板２と天胴板３と側板４と地胴板５と側板６の五面を順次連接し、何れの側板の上下にも両隅に丸みを持つ膨みによる突部２1 ，２2 ，４1 ，４2 ，６1 ，６2 を備え、該両突部の先端より内側に、前記突部の幅よりも幅狭の胴部２3 ，４3 ，６3 を形成し、前記突部と胴縁２31， ２32，４31， ４32， ６31， ６32の両者により窪みを形成し、天地胴板３，５には長方形のフラップ７，８を備える。
【００１4 】
両端の側板２，６の突部２1 ，２2 ，６1 ，６2 の内辺２11，２21，６21，６22に、外端から内端に向けて円弧状の突出部２111 ，２211 ，６121 ，６221 を付与し、突部２1 ，２2 と６1 ，６2 の間の窪み２4 ，６4 部分の距離をｂより小さくする。また胴縁２31， ６32と内辺２11，２21，６12，６22とで現れる交点２112 ，２212 ，６122，６222 から前記内辺側の付け根に、板紙の厚み相当の直線部分を備えると収まりがよくなり好ましい結果を得る。
【００１５】
図２は組立てた中枠１で、両端の側板に形成した窪み２4，６4 は天地胴板３，５との接続に使用し、両端と中側板と天地胴板３，５との連接部では、突部の外周に沿う部分を切り離し、連接部に沿い側板２，６が重なるように折り曲げて中枠１を組立てた時に、側板２，４，６と天地胴板３，５で囲われた収納部１１は、側板両端の膨らんだ突起２1 ，２2 ，４1 ，４2 ，６1 ，６2 により浮き上がり、中枠１を箱（仮想線）の中に挿入しても内壁から天地胴板３，５を、空間１２を開けて隔離するので、収納部７の中の瓶や薬品に衝撃の影響が直接伝わることがない。
【００１６】
また図１にみられる如く、天地胴板３，５の高さは側板の両突部先端間の高さに較べて低いので、図２のように箱の前後の蓋からも空間１３を開けて隔離するので、この部分に収納品の蓋方向へのずれ止めを兼ねて適宜な押さえを挿入すると、側板と天地胴板により形成した収納部の六面のうち四面を緩衝機能で守る安全性の高い中枠が形成できた。
【００１７】
また組立の際に円弧状の突出部２111 ，２211 ，６121 ，６221 と天地胴板３，５を噛み合せ嵌め込み後は、前記円弧状の突出部がストッパーとして働くので、接着剤なしで中枠１が戻り開きで自然解体することはなく、また両端側板の重ね合わせの順序の必要もなくなるので、組立作業にとり余分な選択肢が減り自動組立にとり好ましい効果が得られた。
【００１８】
中枠１の組立に際して、罫線の形状は折り曲げ易くするために切罫と半切罫を組合せて付与し、折り曲げ部分の両端には短い長さの押し罫ａを形成しておき、折り曲げて側板と天地胴板を組み合わせた際に、連接部の半切り罫線部からの剥離を防止する構造とした。
【００１９】
図１に示した天地胴板３，５上に設けた長方形のフラップ７，８は、長辺７1 ，８1 が本体と半切り罫線で連接し、他の三辺は本体から切り込みにより離れている。このフラップに連接部分の一部を切り離して舌状部９，１０を形成することにより、図３に示すように二枚のフラップを起こすと収納部１１内に仕切りをつくり、フラップ同士が干渉して仕切りの位置決めを行うので、二段に収納することが可能となり、また舌状部９，１０が箱の内壁との間にあって緩衝の役目を果たす。
【００２０】
この様な収納部を箱の内壁から隔離して形成することは、通常の内壁に接触する仕切りに較べ緩衝機能に優れていることは明らかであり、特に壊れ易い物を収納する箱の緩衝材として役に立ち、医療品に限定することなく用途は極めて広い範囲に及び、また天地胴板に設けるフラップの形状を変えて数を増やしてもよく、図４は上下方向の仕切りから左右方向への仕切り用フラップ１４を示し、図５の様に両側板の一部に突起１５を形成し空間１６を確保すると、収納部の六面全てを箱の内壁から隔離することができる。
【００２１】
【発明の効果】
本発明になる緩衝機能付中枠の使用により下記の効果を得た。
1)中枠の側板に設けた突部で天地胴板を浮かす大幅な緩衝機能の向上により、箱に収納した壊れ易い材料製のアンプル，バイアル，注射筒等の容器、または該容器に収納した砕け易い骨補填剤の様な固形薬品が、収納箱の移動に伴う取り扱い等から生ずる衝撃で破損することを防止した。
2)両側板の突起の内辺に備えた円弧状の突出部が、組立後の戻り開きを止めるストッパーとして役立ち、接着剤の使用なしに組立が可能となった。
3)天地胴板に設けたフラップの使用で収納部の中に間仕切りができた。
4)紙製であるので用済み後の廃棄処理が簡単になった。
5)箱と中枠が分離したので、包装ラインが単純化し人件費や加工費等の軽減によるコスト逓減が計れた。
【図面の簡単な説明】
【図１】 本発明になる中枠の展開図である。
【図２】 図１の組み立てた中枠の斜視図である。
【図３】 図１の仕切りを起こした中枠の斜視図である。
【図４】 別の仕切りを持つ中枠の斜視図である。
【図５】 別の突起を備え六面を隔離した中枠の斜視図である。
【符号の説明】
１ 中枠
２，４，６ 側板
２1 ，２2 ，４1 ，４2 ，６1 ，６2 突部
２3 ，４3 ，６3 胴部
２11，２21，６12，６22 内辺
２31， ２32， ４31， ４32， ６31， ６32 胴縁
２111 ，２211 ，６121 ，６221 円弧状の突出部
２112 ，２212 ，６122 ，６222 交点
３，５ 天地胴板
７，８，１４ フラップ
９，１０ 舌状部
１１ 収納部
１２，１３，１６ 空間
１５ 突起
ａ 押し罫線
【図１】
0003990027.tif 000002
【図２】
0003990027.tif 000003
【図３】
0003990027.tif 000004
【図４】
0003990027.tif 000005
【図５】
0003990027.tif 000006